(57)【要約】【課題】軸上色収差を抑えた撮像レンズを提供する。【解決手段】撮像レンズは、物体側から像側に、正の屈折力を持つ第１レンズＬ１と、負の屈折力を持つ第２レンズＬ２と、絞りＳと、像側に凸面を向けたメニスカス形状の第３レンズＬ３と、第４レンズＬ４とを備えた４群４枚の撮像レンズで、以下の条件式（i），（ii）を満たす。０．５≦ｆ１／ｆ≦１．５・・・（i）−９≦ｆ２／ｆ≦−０．６・・・（ii）  但し、ｆ：光学系全体の焦点距離、ｆ１：第１レンズの焦点距離、ｆ２：第２レンズの焦点距離である。【選択図】        図１
2008281873.tif 000002
【特許請求の範囲】
【請求項１】
物体側から像側に、正の屈折力を持つ第１レンズと、負の屈折力を持つ第２レンズと、絞りと、像側に凸面を向けたメニスカス形状の第３レンズと、第４レンズとを備えた４群４枚の撮像レンズであって、以下の条件式（i），（ii）を満たすことを特徴とする撮像レンズ。
０．５≦ｆ１／ｆ≦１．５・・・（i）
−９≦ｆ２／ｆ≦−０．６・・・（ii）
但し、
ｆ：光学系全体の焦点距離、
ｆ１：第１レンズの焦点距離、
ｆ２：第２レンズの焦点距離
である。
【請求項２】
更に、以下の条件式（iii），（iv）を満たすことを特徴とする請求項１記載の撮像レンズ。
−１０００≦ｆ３／ｆ≦−０．５・・・（iii）
３≦（Ｒ３２＋Ｒ３１）／（Ｒ３２−Ｒ３１）≦１０・・・（iv）
但し、
ｆ３：第３レンズの焦点距離、
Ｒ３１：第３レンズの物体側面の曲率半径、
Ｒ３２：第３レンズの像側面の曲率半径
である。
【請求項３】
前記第１レンズ、前記第２レンズ、前記第３レンズまたは前記第４レンズの少なくとも２枚が非球面レンズで構成される
ことを特徴とする請求項１記載の撮像レンズ。
【請求項４】
前記第１レンズ、前記第２レンズ、前記第３レンズ及び前記第４レンズの全てが、プラスチック素材の非球面レンズで構成される
ことを特徴とする請求項１記載の撮像レンズ。
【発明の詳細な説明】
【技術分野】
【０００１】
本発明は、携帯電話やパーソナルコンピュータ（ＰＣ）等に用いられるレンズユニットを構成する撮像レンズに関する。
【背景技術】
【０００２】
近年、携帯電話やパーソナルコンピュータ等に搭載される撮像機器には、高解像度で低コスト化及び小型化が求められている。また、ＣＣＤ（Ｃｈａｒｇｅ−Ｃｏｕｐｌｅｄ Ｄｅｖｉｃｅ），ＣＭＯＳ（Ｃｏｍｐｌｅｍｅｎｔａｒｙ Ｍｅｎｔａｌ−Ｏｘｉｄｅ Ｓｅｍｉｃｏｎｄｕｃｔｏｒ ｄｅｖｉｃｅ）等の撮像素子のセルピッチが小さくなって高画素化する一方で、撮像素子自体の面積が小さくなってきている。そのため、撮像機器の光学系には、従来よりも光学収差、特に、軸上色収差を抑えた高い結像性能と、撮像素子に入射する光線の入射角を小さく抑えることが要求される。
【０００３】
このため、携帯電話やパーソナルコンピュータ等に搭載される撮像機器に用いられる従来の撮像レンズとしては、例えば３群４枚構成のレンズが提案されている（例えば、特許文献１参照）。また、４群４枚構成のレンズが提案されている（例えば、特許文献２参照）。
【０００４】
【特許文献１】特開２００６−３０９０４３号公報
【特許文献２】特許第３４１１５６５号公報
【発明の開示】
【発明が解決しようとする課題】
【０００５】
特許文献１に記載の撮像レンズでは、３群４枚構成で結像性能の向上を図っているが、第１レンズと第２レンズが接合レンズとなっているので、生産性が悪く、生産コストが高いという問題がある。
【０００６】
一方、特許文献２に記載の撮像レンズでは、４群４枚構成で、物体側から順に負の屈折力を有するレンズ、絞り、正の屈折力を有するレンズ、負の屈折力を有するレンズ及び正の屈折力を有するレンズが配置される構成をとり、結像性能の向上を図っている。
【０００７】
しかし、第１レンズが負の屈折力を有するレンズであるため、光路長が長くなり、小型化、特に薄型化に適さないという問題があり、携帯電話等に用いるには適さない。
【０００８】
本発明は、このような課題を解決するためになされたもので、軸上色収差を抑えた撮像レンズを提供することを目的とする。
【課題を解決するための手段】
【０００９】
上述した課題を解決するため、本発明の撮像レンズは、物体側から像側に、正の屈折力を持つ第１レンズと、負の屈折力を持つ第２レンズと、絞りと、像側に凸面を向けたメニスカス形状の第３レンズと、第４レンズとを備えた４群４枚の撮像レンズであって、以下の条件式（i），（ii）を満たすことを特徴とする。
０．５≦ｆ1／ｆ≦１．５・・・（i）
−９≦ｆ2／ｆ≦−０．６・・・（ii）
但し、
ｆ：光学系全体の焦点距離、
ｆ1：第１レンズの焦点距離、
ｆ2：第２レンズの焦点距離
である。
【００１０】
本発明の撮像レンズは、４群４枚のレンズ構成で実現され、第１レンズを正のパワーとすることにより、光学収差、特に軸上色収差を少なくするのと同時に光学長も短くした。
【００１１】
また、絞りを挟んで、前群の第１レンズ及び第２レンズと、後群の第３レンズ及び第４レンズでそれぞれ軸上色収差を補正できるようにして、全体で色収差を極めて小さくできるようにした。
【００１２】
更に、絞りを挟んだ前後の第２レンズと第３レンズを負のパワーのレンズで構成することで、歪曲収差を小さくできるようにした。
【００１３】
また、絞りの後ろの第３レンズの両面の曲率半径の中心をおおよそ絞りの中心とすることで、非点収差及びコマ収差を小さくできるようにした。
【００１４】
更に、第４レンズを正のパワーのレンズにすることにより、撮像素子に対する入射角度を緩くして最適な光学性能が得られるようにした。また、これにより、十分なバックフォーカスを取れるようにした。
【００１５】
更に、４枚のレンズを全てプラスチックで構成するようにして、低コストで大量生産できるようにした。
【００１６】
ここで、上述した本発明の撮像レンズと、この撮像レンズにより形成された光学像を電気信号に変換する撮像素子を備えることで、撮像装置を実現することができる。また、このような撮像装置では、焦点位置を制御するオートフォーカス機構を搭載すると良い。オートフォーカス機構を搭載すれば、環境温度変化による焦点位置のずれを補正することができ、４枚のレンズ全てをプラスチックで構成しても、温度変化等に対応可能となる。
【発明の効果】
【００１７】
本発明の撮像レンズによれば、４群４枚の簡単なレンズ構成で、軸上色収差を抑えて高い結像性能を得ることができると共に、光学長を短くできるので、解像度を向上させ、かつ小型化と低コスト化を達成することができ、高解像度の撮像素子に最適なレンズユニットを実現することができる。
【００１８】
また、接合レンズを用いる必要がないので、生産性を向上させることができる。
【発明を実施するための最良の形態】
【００１９】
以下、図面を参照して本発明の撮像レンズの実施の形態について説明する。
【００２０】
図１は、本実施の形態における実施例１のレンズ構成を示す断面図、図２は、図１に示す実施例１のレンズの光路図、図３は、本実施の形態における実施例２のレンズ構成を示す断面図、図４は、図３に示す実施例２のレンズの光路図である。
【００２１】
本実施の形態の撮像レンズは単焦点レンズであり、例えば携帯電話や、モバイルＰＣと称されるノート型のパーソナルコンピュータ等の小型情報端末機器等に搭載されている小型撮像装置に代表されるような機器に搭載されて使用されるものである。
【００２２】
撮像レンズ１は、物体側より順に第１レンズＬ1、第２レンズＬ2、絞りＳ、第３レンズＬ3、第４レンズＬ4で構成され、例えば第３レンズＬ3と第４レンズＬ4の少なくとも２枚が非球面形状となっている。この単焦点レンズの結像面Ｉには、例えばＣＣＤやＣＭＯＳ等の撮像素子が配置されることを想定している。また、第４レンズＬ4と結像面Ｉの間には、樹脂またはガラスで構成されるカバーガラスや赤外カットフィルタやローパスフィルタなどの他、光学部材Ｐが配置されていても良い。
【００２３】
撮像素子は、例えば、イメージャーサイズが１／４インチ程度の長方形状の受光面を有する光電変換素子であり、受光面に略格子状に画素が配設され、それぞれの画素ごとの受光量に基づく電気信号を出力する。なお、画素数としては、２００万画素から５００万画素程度を想定している。
【００２４】
撮像素子は、対向する撮像レンズ１の光軸方向の適切な位置に受光面が合うように調整されている。
【００２５】
以上のように構成された撮像装置は、撮像レンズ１により物体像を撮像素子の受光面に結像することで、物体を撮像する。撮像素子は、各画素の受光量に基づく電気信号を制御回路に出力する。なお、制御回路に出力された電気信号は、この制御回路内においてデジタル信号に変換され、画像データとして各種記憶媒体に記録される。
【００２６】
本実施の形態の撮像レンズ１は、以下の条件式（１）〜（８）を満足するように構成されている。
０．４≦ｆ1／ｆ≦１．５      ・・・（１）
−３０≦ｆ2／ｆ≦−０．６    ・・・（２）
−１０００≦ｆ3／ｆ≦−０．５・・・（３）
０．７≦ｆ4／ｆ≦１０００    ・・・（４）
４０≦νＬ1≦７０            ・・・（５）
２０≦νＬ2≦３５            ・・・（６）
２０≦νＬ3≦３５            ・・・（７）
３≦（Ｒ32＋Ｒ31）／（Ｒ32−Ｒ31）≦１０・・・（８）
【００２７】
ここで、条件式（１）〜（８）で使用される符号の定義は下記の通りである。
ｆ：光学系全体の焦点距離（単位ｍｍ。ｆ1〜ｆ4も同様）
ｆ1：第１レンズＬ1の焦点距離
ｆ2：第２レンズＬ2の焦点距離
ｆ3：第３レンズＬ3の焦点距離
ｆ4：第４レンズＬ4の焦点距離
νＬ1：第１レンズＬ1のアッベ数
νＬ2：第２レンズＬ2のアッベ数
νＬ3：第３レンズＬ3のアッベ数
Ｒ31：第３レンズＬ3の物体側面の曲率半径（物体側軸上に頂点を持つ場合を正の符号とする。Ｒ32も同様とする。単位ｍｍ）
Ｒ32：第３レンズＬ3の像側面の曲率半径
【００２８】
上記の条件式（１）〜（８）は、以下で説明する実施例１及び実施例２に共通するものであり、必要に応じて適宜採用することで、個々の撮像素子または撮像装置に適したより好ましい結像性能と小型の光学系が実現される。
【００２９】
以下に、条件式の作用について説明する。
条件式（１），（２），（３），（４）は、４枚のレンズのパワー（屈折力）に関するものであり、条件式（５），（６），（７）は、レンズの硝材の分散（アッベ数）に関するものである。条件式（８）は、第３レンズＬ3のベンディングに関するものである。
【００３０】
レンズ全長を短くするには、第１レンズＬ1を正のパワーにするのが望ましい。条件式（１）の下限を超えるとパワーが強くなりすぎ、偏芯感度が高くなり製造時に不良が多発する等の問題が生ずる。また、上限を超えると、全長を短く出来ない、軸上色収差を抑えられない等の不具合が起こる。その最適条件が条件式（i）を含む（１）式である。
【００３１】
また、軸上色収差及び倍率の色収差を抑えるには、第１レンズＬ1は分散が低いもの、すなわちアッベ数が大きいものが必要とされるので、第１レンズＬ1はアッベ数が条件式（５）を満たし、いわゆるクラウンといわれる部類のレンズの作用を持つことが望ましい。
【００３２】
第２レンズＬ2は、軸上色収差を補正するために負のパワーでアッベ数が小さいことが望ましい。条件式（２）の上限を超えるとパワーが強くなりすぎ、偏芯感度が高くなり製造時に不良が多発する等の問題が生ずる。また下限を超えると、軸上色収差の補正が弱くなる。このため最適条件が条件式（ii）を含む（２）式となる。
【００３３】
また、第２レンズＬ2はアッベ数が条件式（６）を満たし、いわゆるフリントといわれる部類のレンズの作用を持つことが望ましい。このように、第１レンズＬ1は正のパワーでアッベ数が大、第２レンズＬ2は負のパワーでアッベ数が小という条件によって、第１レンズＬ1と第２レンズＬ2で軸色収差を良く補正することができる。
【００３４】
歪曲収差を少なくするには、第２レンズＬ2と共に第３レンズＬ3が負のパワーであることが望ましい。これによって、絞りＳに入射する光線の入射角を小さく抑える。同時に、第３レンズＬ3は、条件式（８）で表されるベンディングにより球面収差を小さく抑える。
【００３５】
また、第３レンズＬ3の物体側面と像側面の曲率の中心が、おおよそ絞りＳの中心付近にあることによって、非点収差及びコマ収差を小さく抑える。第３レンズＬ3の両面の曲率半径の中心がおおよそ絞りＳの近くにあり、かつ第３レンズＬ3が負のパワーのレンズの作用をし、かつ最適にベンディングするために、条件式（iii）を含む条件式（３）及び条件式（iv）を含む条件式（８）の上限と下限が必要となる。また、条件式（３）の上限を超えると偏芯感度が高くなり製造時に不良が多発する等の問題が生ずる。
【００３６】
ここで、第３レンズＬ3のアッベ数は、球面収差補正と、軸上色収差補正のために条件式（７）を満たし、いわゆるフリントといわれる部類のレンズの作用を持つことが望ましい。
【００３７】
ＣＣＤやＣＭＯＳセンサー等の撮像面に入射する光線の角度を小さくするには、第４レンズＬ4が正のパワーのレンズであることが望ましい。その条件式が（４）式になる。この条件式（４）の下限の超えると偏芯感度が高くなり製造時に不良が多発する等の問題が生ずる。また、上限を超えると、撮像面に入射する角度を小さく出来ない。
【００３８】
そして、レンズ全体としてパワー構成を正、負、（絞り）、負、正とし、絞りＳに対し対称な構成として、球面収差とコマ収差及び倍率の色収差を小さくする。
【００３９】
ここで、軸上色収差を小さくするには、第４レンズＬ4のアッベ数を大きくすることが必要であるが、光学全長を小さくするために第４レンズＬ4のアッベ数を小さくする場合もあり、第４レンズＬ4のアッベ数は広い選択範囲がある。
【００４０】
同時に、第４レンズＬ4の像面側の曲率が負になること（結像面Ｉ方向に突き出た凸形状）が望ましいが、この条件は絶対条件ではない。
【００４１】
第４レンズＬ4の像面側が、結像面Ｉ方向に突き出た凸形状であることが望ましい理由は以下の通りである。もし、第４レンズＬ4の像面側の曲率を正にすると、光軸近傍よりも周辺の面が像側に突出する形状となるので、撮像素子で反射した光が、また第４レンズＬ4の像側面で反射し、ゴーストを発生しやすくなる。同時に、このようにゴーストが発生しやすい形状の場合、周辺の光をより周辺に跳ね上げることになるので、撮像素子に対する入射角度がきつくなる。更に、像側への突出部分によりバックフォーカスが短くなってしまうという問題も起こる。
【００４２】
但し、本発明を適用した撮像レンズでは、軸上色収差が抑えられることから、これらの問題は、本発明の撮像レンズを適用したレンズユニット及びこのレンズユニットを実装した撮像機器の商品性を損なうものでは無く、広い選択範囲がある。
【実施例】
【００４３】
以下に、本発明を適用した撮像レンズの構成を、数値データ及び収差図を挙げて、更に具体的に説明する。
【００４４】
各実施例のレンズ構成データにおいて、Ｒは、物体側から数えた面番号ｉ（ｉ＝１，２，・・・）で特定される面の曲率半径（ｍｍ）を示し、ｄは、面番号ｉで特定される面の軸上面間隔（ｍｍ）を示す。また、ｎは、面番号ｉで特定される光学要素のｄ線（５８８ｎｍ）に対する屈折率を示し、νｄは、面番号ｉで特定される光学要素のｄ線に対するアッベ数を示している。
【００４５】
ここで、第１面（面番号１）は、第１レンズＬ1の物体側の面、第２面は、第１レンズＬ1の像側の面を示す。また、第３面は、第２レンズＬ2の物体側の面、第４面は、第２レンズＬ2の像側の面を示す。更に、第５面は、第３レンズＬ3の物体側の面、第６面は、第３レンズＬ3の像側の面を示す。また、第７面は、第４レンズＬ4の物体側の面、第８面は、第４レンズＬ4の像側の面を示す。なお、第９面は、カバーガラスの物体側の面、第１０面は、がバーガラスの像側の面を示す。
【００４６】
また、第１〜第４レンズの第１面〜第８面は、非球面で構成されている。この非球面の形状は、次の（９）式で表される。但し、光軸からの高さがｙとなる非球面上の座標点の非球面頂点の接平面からの距離をｘとし、非球面頂点の曲率（１／ｒ）をｃとする。また、Ｋは円錐係数を表し、Ａ，Ｂ，Ｃ，Ｄ，Ｅ及びＦは、それぞれ、４次、６次、８次、１０次、１２次及び１４次の非球面係数を表すものである。
【００４７】
【数１】
2008281873.tif 000003
【００４８】
図５及び図６は、実施例１及び実施例２の諸収差（左から順に、球面収差及び色収差、非点収差、歪曲収差）を示すグラフである。球面収差及び色収差では、破線（ｄ）が５８７．５６ｎｍ（ｄ線）での球面収差と色収差、実線（ｅ）が５４６．０７ｎｍ（ｅ線）での球面収差と色収差、一点鎖線（Ｆ）が４８６．１３ｎｍ（Ｆ線）での球面収差と色収差を示すものである。非点収差では、実線（Ｓ）がサジタルの像面、破線（Ｍ）がメリジオナルの像面を表すものである。歪曲収差では、横軸は歪曲％で表わすものである。
【００４９】
＜実施例１＞
実施例１の撮像レンズは、４群４枚構成のレンズで、例えば、イメージャーサイズが１／４インチで３００万画素〜５００万画素の撮像素子に物体像を結像することを想定している。
【００５０】
撮像レンズは、物体側から第１レンズＬ1がプラスチックモールドの非球面レンズで正のパワーを持っておりアッベ数が５５．８、第２レンズＬ2がプラスチックモールドの非球面レンズで負のパワーを持っておりアッベ数が２９．０、次に絞りＳがあり、第３レンズＬ3がプラスチックモールドの非球面レンズで負のパワーを持っておりアッベ数２９．０、第４レンズＬ4がプラスチックモールドの非球面レンズで正のパワーを持っておりアッベ数が５５．８という構成となっている。
【００５１】
上述した条件式（１）〜（８）のパラメータを以下の表１に示す値にすると、４枚のレンズの相乗効果で、図５に示すように収差を良く補正する。実施例１では、軸上色収差が６．０μｍに抑えられ、また、光学全長が４．７ｍｍに抑えられて、３００万画素以上の小型高解像度撮像素子に最適なレンズユニットを実現できる。
【００５２】
【表１】
2008281873.tif 000004
【００５３】
実施例１レンズ構成データ
面番号          Ｒ          ｄ          ｎ          νｄ
１              1.400       0.748      1.530        55.8
２             -3.785       0.087
３             -2.495       0.300      1.580        29.0
４             -2112.9      0.734
５             -0.477       0.302      1.580        29.0
６             -0.724       0.080
７              2.478       1.068      1.530        55.8
８             -1078.1      0.300
９              ∞          0.300      1.517        64.2
１０            ∞
【００５４】
実施例１非球面データ
第１面
Ｋ＝0.106，Ａ＝-0.267E-01，Ｂ＝-0.143E-01，Ｃ＝-0.356E-01，Ｄ＝-0.986E-02，
Ｅ＝-0.395E-02，Ｆ＝0.507E-02
第２面
Ｋ＝-4.998，Ａ＝0.131E+00，Ｂ＝-0.166E+00，Ｃ＝0.109E+00，Ｄ＝-0.272E-01，
Ｅ＝-0.136E-01，Ｆ＝0.117E-01
第３面
Ｋ＝-9.303，Ａ＝0.326E+00，Ｂ＝-0.361E+00，Ｃ＝0.272E+00，Ｄ＝-0.779E-01，
Ｅ＝-0.864E-01，Ｆ＝0.124E+00
第４面
Ｋ＝-6.900，Ａ＝0.199E+00，Ｂ＝-0.165E-01，Ｃ＝-0.167E+01，Ｄ＝0.257E+01，
Ｅ＝0.107E+00，Ｆ＝0.460E-02
第５面
Ｋ＝-0.840，Ａ＝0.326E+00，Ｂ＝-0.109E+01，Ｃ＝-0.295E+01，Ｄ＝0.101E+02，
Ｅ＝0.123E+00，Ｆ＝0.126E-03
第６面
Ｋ＝-0.340，Ａ＝0.257E+00，Ｂ＝-0.723E-01，Ｃ＝-0.542E+00，Ｄ＝0.172E+01，
Ｅ＝0.636E-01，Ｆ＝-0.932E-01
第７面
Ｋ＝-9.996，Ａ＝-0.975E-01，Ｂ＝0.450E-01，Ｃ＝-0.836E-02，Ｄ＝0.619E-03，
Ｅ＝-0.117E-04，Ｆ＝0.142E-05
第８面
Ｋ＝-40.00，Ａ＝-0.394E-01，Ｂ＝-0.550E-02，Ｃ＝0.345E-03，Ｄ＝0.132E-03，
Ｅ＝0.370E-05，Ｆ＝0.422E-05
【００５５】
実施例１各種構成データ
ｆ（焦点距離）＝３．７６ｍｍ
Ｆナンバー（開口数）＝２．８
ω（半画角）＝３０．５ｄｅｇ
Ｈ（レンズ全長）＝４．７ｍｍ
【００５６】
＜実施例２＞
実施例２の撮像レンズは、４群４枚構成のレンズで、例えば、イメージャーサイズが１／４インチで３００万画素〜５００万画素の撮像素子に物体像を結像することを想定している。
【００５７】
撮像レンズは、物体側から第１レンズＬ1がプラスチックモールドの非球面レンズで正のパワーを持っておりアッベ数が５５．８、第２レンズＬ2がプラスチックモールドの非球面レンズで負のパワーを持っておりアッベ数が２９．０、次に絞りＳがあり、第３レンズＬ3がプラスチックモールドの非球面レンズで負のパワーを持っておりアッベ数２９．０、第４レンズＬ4がプラスチックモールドの非球面レンズで正のパワーを持っておりアッベ数が２９．０という構成となっている。
【００５８】
上述した条件式（１）〜（８）のパラメータを上述した表１に示す値にすると、４枚のレンズの相乗効果で、図６に示すように収差を良く補正する。実施例２では、軸上色収差が１０．４μｍに抑えられ、また、光学全長が４．４７ｍｍに抑えられて、３００万画素以上の小型高解像度撮像素子に最適なレンズユニットを実現できる。
【００５９】
実施例２レンズ構成データ
面番号          Ｒ          ｄ          ｎ          νｄ
１              1.140       0.801      1.530        55.8
２              15.58       0.0552
３             -9.021       0.300      1.580        29.0
４             -7.101       0.608
５             -0.606       0.300      1.580        29.0
６             -0.887       0.050
７              5.350       1.352      1.580        29.0
８             -1100.0      0.300
９              ∞          0.300      1.517        64.2
１０            ∞
【００６０】
実施例２非球面データ
第１面
Ｋ＝-0.638，Ａ＝0.526E-01，Ｂ＝0.695E-02，Ｃ＝0.432E-01，Ｄ＝-0.339E-01
第２面
Ｋ＝9.436，Ａ＝0.273E-01，Ｂ＝-0.304E+00，Ｃ＝0.642E+00，Ｄ＝-0.387E+00
第３面
Ｋ＝-8.978，Ａ＝0.108E+00，Ｂ＝-0.317E+00，Ｃ＝0.896E+00，Ｄ＝-0.703E+00
第４面
Ｋ＝3.495，Ａ＝0.153E+00，Ｂ＝-0.233E+00，Ｃ＝0.162E+01，Ｄ＝-0.354E+01
第５面
Ｋ＝-0.806，Ａ＝-0.231E-02，Ｂ＝-0.141E+00，Ｃ＝-0.163E+01，Ｄ＝0.242E+01
第６面
Ｋ＝-0.176，Ａ＝0.177E+00，Ｂ＝0.465E-01，Ｃ＝-0.946E-01，Ｄ＝0.434E+00
第７面
Ｋ＝-10.00，Ａ＝-0.621E-01，Ｂ＝0.277E-01，Ｃ＝-0.708E-02，Ｄ＝-0.742E-03，
Ｅ＝0.113E-02，Ｆ＝-0.208E-03
第８面
Ｋ＝40.00，Ａ＝-0.347E-01，Ｂ＝-0.587E-03，Ｃ＝-0.661E-03，Ｄ＝0.629E-04，
Ｅ＝-0.486E-04，Ｆ＝0.112E-04
【００６１】
実施例２各種構成データ
ｆ（焦点距離）＝ ３．８０ｍｍ
Ｆナンバー（開口数）＝２．８
ω（半画角）＝３０．５ｄｅｇ
Ｈ（レンズ全長）＝４．４７ｍｍ
【産業上の利用可能性】
【００６２】
本発明を適用した撮像レンズは、携帯電話やモバイルＰＣ等に内蔵または外付けされるカメラに用いられるのみならず、デジタルスチルカメラ、ビデオカメラ等に内蔵又は外付けされるカメラに用いることができる。
【図面の簡単な説明】
【００６３】
【図１】本実施の形態における実施例１のレンズ構成を示す断面図である。
【図２】実施例１のレンズ構成の光路図である。
【図３】本実施の形態における実施例２のレンズ構成を示す断面図である。
【図４】実施例２のレンズ構成の光路図である。
【図５】実施例１の諸収差を示すグラフである。
【図６】実施例２の諸収差を示すグラフである。
【符号の説明】
【００６４】
Ｌ1・・・第１レンズ、Ｌ2・・・第２レンズ、Ｌ3・・・第３レンズ、Ｌ4・・・第４レンズ
【図１】
2008281873.tif 000005
【図２】
2008281873.tif 000006
【図３】
2008281873.tif 000007
【図４】
2008281873.tif 000008
【図５】
2008281873.tif 000009
【図６】
2008281873.tif 000010